(57)【要約】【課題】ベランダの手摺りと天井部との間の開口部を必要な時に必要な部分を遮蔽できるようにすることで、プライバシーを保護できると共に、西日などの日差しを有効に遮断できるようにしたベランダの手摺り装置を提供する。【解決手段】建物のベランダ１の屋外端部に手摺り２を設置し、手摺り２と天井部１ａとの間の開口部４を部分的に又は全面的に遮蔽する遮蔽体３を、天井部１ａに設けたハンガーレール５に吊り車６を介して移動可能に支持するようにした。【選択図】図１
2010242457.tif 000002
【特許請求の範囲】
【請求項１】
建物のベランダの屋外端部に手摺りを設置し、この手摺りと天井部との間の開口部を部分的に又は全面的に遮蔽する遮蔽体を、天井部に設けたハンガーレールに吊り車を介して移動可能に支持するようにしてなるベランダの手摺り装置。
【請求項２】
手摺りは、ベランダの屋外端部に所要間隔おきに立設した複数の支柱の上端部に手摺り笠木を架け渡してなる手摺り本体と、上下横桟の屋外側側面に多数の縦格子材を横桟長手方向一定ピッチで取り付けてなり且つブラケットを介して手摺り本体の屋外側に一体的に連結された面格子とからなり、遮蔽体は、左右縦枠と上下横枠とで矩形枠状に形成した本体枠と、上下横桟の屋外側側面に多数の縦格子材を前記手摺りの面格子の縦格子材と同じピッチで多数の縦格子材を取り付けてなり且つブラケットを介して本体枠の屋外側に一体的に連結された面格子とからなるもので、本体枠をハンガーレールに吊り車を介して移動可能に支持してなる請求項１に記載のベランダの手摺り装置。
【請求項３】
遮蔽体の本体枠を形成する上横枠とハンガーレールとの間に、遮蔽体を移動させる際に遮蔽体の面格子の各縦格子材が手摺りの面格子の各縦格子材と同一直線上に合致した位置で遮蔽体を停止させるストッパー機構を介装してなる請求項２に記載のベランダの手摺り装置。
【請求項４】
ストッパー機構は、ハンガーレールにガイドレールを付設すると共に、ガイドレールの所定箇所に嵌合凹部を設け、本体枠には上面側に設けた台枠に揺動レバーの中間部を枢着し、揺動レバーの一端部には、ガイドレールに沿って案内され、嵌合凹部に嵌合するガイドローラーと、ガイドレールには案内されないが、ガイドローラーと共に嵌合凹部に嵌合することにより遮蔽体の面格子の各縦格子材が手摺りの面格子の各縦格子材と同一直線上に合致した位置で遮蔽体の移動を停止させるストッパー部片とを並設し、揺動レバーの他端部と本体枠上面との間にはガイドローラーを常時ガイドレールに弾接させるように付勢するバネを介装すると共に、揺動レバーの他端部に引張操作ワイヤーを連結し、このワイヤーを引張操作することにより、嵌合凹部に嵌合したガイドローラーとストッパー部片をその嵌合位置に保持して遮蔽体を停止位置に固定するようにしてなる請求項３に記載のベランダの手摺り装置。
【発明の詳細な説明】
【技術分野】
【０００１】
本発明は、マンション、アパートなどの建物のベランダの手摺り装置に関する。なお、ベランダは、建物の外廊下も含むものとする。
【背景技術】
【０００２】
マンションやアパートなどの複数階からなる建物にはベランダを有するものがほとんどであり、このベランダにはアルミなどの金属柵タイプの手摺りが設けられ、この手摺りと天井部との間に開口部が形成されている。
【発明の概要】
【発明が解決しようとする課題】
【０００３】
上記のようにベランダでは手摺りと天井部との間に開口部が形成されていることから、外部からは他人の視野に入ってしまい、プライバシーを確保し難いとい問題があり、また西向きのベランダでは、午後になると、西日の照りつけが厳しく、夏場はかなり暑くなるという問題がある。
【０００４】
本発明は、上記の事情に鑑み、ベランダの手摺りと天井部との間の開口部を必要な時に必要な部分を遮蔽できるようにすることで、プライバシーを保護できると共に、西日などの日差しを有効に遮断できるようにしたベランダの手摺り装置を提供することを目的とする。
【課題を解決するための手段】
【０００５】
上記課題を解決するための手段を、後述する実施形態の参照符号を付して説明すると、請求項１に係る発明は、建物のベランダ１の屋外端部に手摺り２を設置し、この手摺り２と天井部１ａとの間の開口部４を部分的に又は全面的に遮蔽する遮蔽体３を、天井部１ａに設けたハンガーレール５に吊り車６を介して移動可能に支持するようにしてなることを特徴とする。
【０００６】
請求項２は、請求項１に記載のベランダの手摺り装置において、手摺り２は、ベランダ１の屋外端部に所要間隔おきに立設した複数の支柱７の上端部に手摺り笠木８を架け渡してなる手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とからなり、遮蔽体３は、左右縦枠１４，１４と上下横枠１５，１６とで矩形枠状に形成した本体枠１７と、上下横枠１５，１６の屋外側側面に多数の縦格子材１９を前記手摺り２の面格子１２の縦格子材１１と同じピッチで多数の縦格子材１９を取り付けてなり且つブラケット２１を介して本体枠１７の屋外側に一体的に連結された面格子２０とからなるもので、本体枠１７をハンガーレール５に吊り車６を介して移動可能に支持してなることを特徴とする。
【０００７】
請求項３は、請求項２に記載のベランダの手摺り装置において、遮蔽体３の本体枠１７を形成する上横枠１８とハンガーレール５との間に、遮蔽体３を移動させる際に遮蔽体３の面格子２０の各縦格子材１９が手摺り２の面格子１２の各縦格子材１９と同一直線上に合致した位置で遮蔽体３を停止させるストッパー機構２７を介装してなることを特徴とする。
【０００８】
請求項４は、請求項３に記載のベランダの手摺り装置において、ストッパー機構２７は、ハンガーレール５にガイドレール２４を付設すると共に、ガイドレール２４の所定箇所に嵌合凹部２４ｏを設け、本体枠１７には上面側に設けた台枠２８に揺動レバー２９の中間部を枢着し、揺動レバー２９の一端部には、ガイドレール２４に沿って案内され、嵌合凹部２４ｏに嵌合するガイドローラー３０と、ガイドレール２４には案内されないが、ガイドローラー３０と共に嵌合凹部２４ｏに嵌合することにより遮蔽体３の面格子２０の各縦格子材１９が手摺り２の面格子１２の各縦格子材１１と同一直線上に合致した位置で遮蔽体３の移動を停止させるストッパー部片３１とを並設し、揺動レバー２９の他端部と本体枠１７上面との間にはガイドローラー３０を常時ガイドレール２４に弾接させるように付勢するバネ３２を介装すると共に、揺動レバー２９の他端部に引張操作ワイヤー３３を連結し、このワイヤー３３を引張操作することにより、嵌合凹部２４ｏに嵌合したガイドローラー３０とストッパー部片３１をその嵌合位置に保持して遮蔽体３を停止位置に固定するようにしてなることを特徴とする。
【発明の効果】
【０００９】
上記解決手段による発明の効果を、後述する実施形態の参照符号を付して説明すると、請求項１に係る発明によれば、ベランダの屋外端部に手摺り２を設置し、この手摺り２と天井部１ａとの間の開口部４を部分的又は全面的に遮蔽する遮蔽体３を、天井部に設けたハンガーレール５に吊り車６を介して移動可能に支持するようにしたから、遮蔽体３を移動させることによって、屋内状況に応じて外部からの視線を遮蔽でき、プライバシーを有効に保護することができるし、その日の時間によって変化する日差しを遮蔽することもできる。また、遮蔽体３を天井部に設けたハンガーレール５に吊り車６を介して吊持するようしているから、手摺り２側にガイドレールなどを設ける場合に比べ、ベランダ床部１ａを有効に使用することができる。
【００１０】
請求項２に係る発明によれば、手摺り２を、ベランダ１の屋外端部に設置した手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とで構成し、遮蔽体３を、左右縦枠１４，１４と上下横枠１５，１６とで矩形枠状に形成した本体枠１７と、上下横枠１５，１６の屋外側側面に多数の縦格子材１９を前記手摺り２の面格子１２の縦格子材１１と同じピッチで多数の縦格子材１９を取り付けてなり且つブラケット２１を介して本体枠１７の屋外側に一体的に連結された面格子２０とにより構成したもので、室外側から見た時に、手摺り２と遮蔽体３とが同じ面格子１２，２０同士で統一されるようになるため、手摺りと遮蔽体３との間に違和感がなく、またアパートやマンションなどの集合住宅の場合には全体が同じ面格子により統一されるため、優れた美観を呈することができる。
【００１１】
請求項３に係る発明によれば、遮蔽体３の本体枠１７の上横枠１８とハンガーレール５との間に、遮蔽体３を移動させる際に遮蔽体３の面格子２０の各縦格子材１９が手摺り２の面格子１２の各縦格子材１９と同一直線上に合致した位置で遮蔽体３を停止させるストッパー機構２７を介装しているため、遮蔽体３を移動させて任意の位置で停止させても、手摺り２側の面格子１２の各縦格子材１１と遮蔽体３側の面格子２０の各縦格子材１９とが直線状に合致するため、一層優れた外観上の美観を呈することができる。
【００１２】
請求項４に係る発明によれば、ストッパー機構２７は、ハンガーレール５にガイドレール２４を付設し、ガイドレール２４の所定箇所に嵌合凹部２４ｏを設け、本体枠１７に設けた台枠２８に揺動レバー２９を枢着し、揺動レバー２９の一端部には、ガイドレール２４に沿って案内され、嵌合凹部２４ｏに嵌合するガイドローラー３０と、ガイドレール２４には案内されないが、ガイドローラー３０と共に嵌合凹部２４ｏに嵌合することにより遮蔽体３の面格子２０の各縦格子材１９が手摺り２の面格子１２の各縦格子材１１と同一直線上に合致した位置で遮蔽体３の移動を停止させるストッパー部片３１とを並設し、揺動レバー２９の他端部と本体枠１７の間にはガイドローラー３０を常時ガイドレール２４に弾接させるように付勢するバネ３２を介装すると共に、揺動レバー２９の他端部に引張操作ワイヤー３３を連結し、このワイヤー３３を引張操作することで、嵌合凹部２４ｏに嵌合したガイドローラー３０とストッパー部片３１をその嵌合位置に保持して遮蔽体３を停止位置に固定するようにしたもので、部品点数が少なく、構造が比較的簡単でありながら、移動させた遮蔽体３を、手摺り２側の面格子１２の各縦格子材１１と遮蔽体３側の面格子２０の各縦格子材１９とが直線状に合致した任意の位置で確実に停止させることができ、そしてその停止位置で遮蔽体３を固定させることができる。
【図面の簡単な説明】
【００１３】
【図１】(a) は本発明に係るベランダの手摺り装置の一実施形態を屋外から見た正面図、(b) は(a) Ｘ−Ｘ線断面図である。
【図２】図１の(b) の要部拡大図である。
【図３】図２のＹ−Ｙ線断面図である。
【図４】図２のＶ−Ｖ線拡大断面図である。
【図５】図２のＷ−Ｗ線拡大断面図である。
【図６】(a) は図３の矢印Ｐで示す部分の拡大図、(b) は(a) のＱ−Ｑ線断面図である。
【図７】ストッパー機構を説明する説明図である。
【図８】(a) はガイドローラー及びストッパー部片を備えた揺動レバーを示す斜視図、(b) は図７のＲ−Ｒ線断面図である。
【図９】(a) はストッパー機構のワイヤー固定手段を示す正面図、(b) は側面図である。
【発明を実施するための形態】
【００１４】
以下に本発明の好適な一実施形態を図面に基づいて説明すると、図１は複数階からなるアパートのベランダの手摺り装置を屋外から見た正面図で、この図において、１はベランダスラブで、上面側がベランダ床部、下面側がベランダ天井部を示す。２はベランダ床部１ａの屋外端部に設置された手摺り、３は手摺り２とベランダ天井部１ｂとの間の開口部４を部分的に遮蔽可能な遮蔽体を示すもので、この遮蔽体３は、ベランダ天井部１ｂに設けられたハンガーレール５に吊り車６（図２参照）を介して移動可能に支持されている。また図１の(a) において、Ｌはアパート１戸分の区画範囲を示す。
【００１５】
上記手摺り装置の構造について図２〜図５により更に詳しく説明すれば、手摺り２は、ベランダ床部１ａの屋外端部にある堰壁部１ｏ上に所要間隔おきに立設された複数の支柱７の上端部に手摺り笠木８を架け渡してなる手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とからなる。
【００１６】
遮蔽体３は、左右縦枠１４，１４と上下横枠１５，１６とにより矩形枠状に形成された本体枠１７と、上下横桟１８，１８の屋外側側面に多数の縦格子材１９を図３に示すように手摺り２の面格子１２の縦格子材１１と同じピッチで取り付けてなり且つブラケット２１を介して本体枠１７の屋外側に一体的に連結された面格子２０とからなるもので、本体枠１７がハンガーレール５に吊り車６を介して移動可能に支持されている。
【００１７】
ハンガーレール５は、図２及び図６の(b) から分かるように、上壁部５ａと、左右両側壁部５ｂ，５ｂと、両側壁部５ｂ，５ｂの夫々下端部に内向きに対向形成されたレール部５ｃ，５ｃとからなるもので、上壁部５ａに取り付けた複数の吊りボルト２２を、ベランダ天井部１ｂのアンカー金物２３に溶接することによって、ベランダ天井部１ｂに固定されるようになっている。このハンガーレール５内の上部側には、後述するストッパー機構２７のガイドレール２４が付設されている。
【００１８】
遮蔽体３の本体枠１７には上横枠１５に吊り車６が複数取り付けられ、各吊り車６は、図６の(a) ，(b) に示すように、台枠６ａの前後端部に夫々左右一対の車輪６ｂ，６ｂを軸着すると共に、台枠６ａの前後方向中間部に頭部側を固着したボルト２５の下端部を、本体枠１７の上横枠１５に設けた取付板２６に螺着固定してなるもので、前後各一対の車輪６ｂ，６ｂがハンガーレール５のレール部５ｃ，５ｃに転動可能に載置されて走行するようになっている。また図２に示すように、本体枠１７の下横枠１６には室内外両側面部に、手摺り２側の手摺り笠木８の両側面を被うような振れ止め板４１，４１を取り付け、両振れ止め板４１，４１のそれぞれ内側にはガイド輪４２，４２を軸着し、両ガイド輪４２，４２を、手摺り笠木８の室内外両側面部に設けガイド溝８ａ，８ａに転動可能に嵌合させ、これにより本体枠１７の振れを防止して、本体枠１７をスムーズに移動させ得るようにすると共に、強風時などに本体枠１７の振動による騒音の発生を抑制するようにしている。
【００１９】
また、遮蔽体３の本体枠１７を形成する上横枠１５とハンガーレール５との間には、遮蔽体３を移動させる際に面格子２０の各縦格子材１９が手摺り２の面格子１２の各縦格子材１１と同一直線上に合致した位置で遮蔽体３を停止させるストッパー機構２７が介装されている。このストッパー機構２７は、移動させた遮蔽体３を任意の位置で停止させた時に、遮蔽体３の面格子２０の各縦格子材１９が手摺り２の面格子１２の各縦格子材１１に対してズレていると、外観上の体裁、見栄えが悪くなることから、常に遮蔽体３をその面格子２０の各縦格子材１９が手摺り２の面格子１２の各縦格子材１１と同一直線上に合致した位置で停止できるようにするためのものである。
【００２０】
このストッパー機構２７は、図７，図８に示すように、ハンガーレール５内にその全長に亘ってガイドレール２４を付設すると共に、このガイドレール２４の下面側に形成されたガイド溝２４ａの所定箇所に嵌合凹部２４ｏを設け、一方、遮蔽体３の本体枠１７には上横枠１５の上面側に取り付けた台枠２８に揺動レバー２９の長さ方向中間部をピン３４によって枢着し、この揺動レバー２９の一端部には、ガイドレール２４のガイド溝２４ａに沿って案内され、嵌合凹部２４ａに嵌合するガイドローラー３０と、ガイドレール２４のガイド溝２４ａには案内されないが、ガイドローラー３０と共に嵌合凹部２４ｏに嵌合することによって遮蔽体３の面格子２０の各縦格子材１９が手摺り２の面格子１２の各縦格子材１１と同一直線上に合致した位置で本体枠１７の移動を停止させるストッパー部片３１とを並設し、そして揺動レバー２９の他端部と本体枠１７の上横枠１５上面との間にはガイドローラー３０を常時ガイドレール２４のガイド溝２４ａ側に弾接するコイルバネ３２を介装すると共に、この揺動レバー２９の他端部に引張操作ワイヤー３３を連結し、このワイヤー３３を引張操作することにより、嵌合凹部２４ｏに嵌合したガイドローラー３０及びストッパー部片３１をその嵌合位置に保持して本体枠１７を停止位置に固定するようにしてなるものである。
【００２１】
図８の(a) に示すように、ストッパー部片３１は、揺動レバー２９の一端部に一体に形成されたものであり、ガイドローラー３０は、ストッパー部片３１の中心部に突設された支軸３５に同図の仮想線図示のように回転自在に軸支されて、ストッパー部片３１と並設されたものである。またストッパー部片３１は、図７及び図８の(a) ，(b) にから分かるように、ガイドローラー３０と同軸上にあって、上半部が同一半径の円弧状に形成され、その円弧状部の上面部が切除され（その切除部を３１ｏで示す）、従ってストッパー部片３１は、本体枠１７の移動時にガイドローラー３０と共に嵌合凹部２４ｏに嵌合するが、円弧状部の上面切除部３１ｏによってガイドレール２４のガイド溝２４ａには接触しないようになっている。
【００２２】
また図７に示すように、一端部３３ａを揺動レバー２９の他端部に連結された引張操作ワイヤー３３は、本体枠１７の上横枠１５上面側に軸支されたロール状のワイヤーガイド３６を通り、縦枠１４の上端部に設けられたラッパ状のワイヤーガイド３７を通って縦枠１４の内部に入り、この縦枠１４内の中間所要部に設置された図９に示すようなフランス落とし３８の可動ロッド３９に他端部３３ｂが連結されていてる。なお、図示は省略するが、引張操作ワイヤー３３の中間所要箇部には張力調節具が介装されている。
【００２３】
図９に示すフランス落とし３８は、操作レバー４０を交互に反転させることによって、可動ロッド３９を一定ストローク上下動させて、そのストロークの端部で可動ロッド３９をロックさせるもので、いま図９の(a) に示すように操作レバー４０が下向きに折り畳まれて収納されている時は、可動ロッド３９が上動位置にあって、引張操作ワイヤー３３を緩めた状態にあり、しかして操作レバー４０を図９の(b) の仮想線に示すように引き起こすと、可動ロッド３９が下動して引張操作ワイヤー３３を引張し、この操作レバー４０を上向きに折り畳むことにより、引張操作ワイヤー３３を所定ストローク引張した位置に可動ロッド３９をロックさせる。
【００２４】
従って、図７に示すストッパー機構２７は、引張操作ワイヤー３３が緩んだ状態にあるから、この状態で遮蔽体３を、コイルバネ３２の付勢力を上回る力でハンガーレール５に沿った方向に押し又は引くことによって、嵌合凹部２４ｏに嵌合しているガイドローラー３０及びストッパー部片３１が嵌合凹部２４ｏから離脱し、ガイドローラー３０はそのままガイド溝２４ａに案内されながら転動し、ストッパー部片３１は上面切除部３１ｏの分だけガイド溝２４ａの底面から離間した状態でガイドローラー３０と共に移動する。
【００２５】
またガイドローラー３０及びストッパー部片３１が嵌合凹部２４ｏに嵌合した状態で、フランス落とし３８の操作レバー４０を上向きに折り畳むと、引張操作ワイヤー３３が所定ストローク引張された状態にロックされ、それによりガイドローラー３０及びストッパー部片３１が嵌合凹部２４ｏに嵌合した状態にロックされるから、遮蔽体３はその位置に固定される、つまり遮蔽体３の面格子２０の各縦格子材１９が手摺り２の面格子２３の各縦格子材１１と同一直線上に合致した位置に動かないように固定される。
【００２６】
ここでは、引張操作ワイヤー３３を引張してガイドローラー３０及びストッパー部片３１が嵌合凹部２４ｏに嵌合した状態にロックするのにフランス落とし３８を採用したが、このフランス落とし３８に代え、ツマミの回転操作によって引張操作ワイヤー３３を伸縮操作するツマミ式ロック金具を使用してもよい。
【００２７】
上述したようなベランダの手摺り装置によれば、ベランダ床部１ａの屋外端部に手摺り２を設置して、この手摺り２と天井部１ａとの間の開口部４を部分的に遮蔽する遮蔽体３を、ベランダ天井部１ｂに設けたハンガーレール５に吊り車６を介して移動可能に支持するようにしたから、いま、遮蔽体３は、図１の(a) に示すように、開口部４の左側にあるが、遮蔽体３を移動させることによって、屋内状況に応じて外部からの視線を遮蔽でき、プライバシーを有効に保護することができる。例えば、キッチンとリビングルームがベランダ側に面している場合、キッチンで料理を行っている時にその状況を外部から極力見られたくない時は遮蔽体３をリビング側に移動させればよく、またリビングルームに家族が集まったりする時にはリビングルーム側に遮蔽体３を移動させることができる。
【００２８】
また、西向きのベランダでは、午後になると、西日の照りつけが厳しく、夏場はかなり暑くなるが、その西日が入る方向に応じて、遮蔽体３を移動させることにより、日差しを有効に遮蔽することができる。
【００２９】
また、この手摺り装置では、手摺り２は、ベランダ１の屋外端部に設置した手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とからなり、遮蔽体３は、左右縦枠１４，１４と上下横枠１５，１６とで矩形枠状に形成した本体枠１７と、上下横枠１５，１６の屋外側側面に多数の縦格子材１９を前記手摺り２の面格子１２の縦格子材１１と同じピッチで多数の縦格子材１９を取り付けてなり且つブラケット２１を介して本体枠１７の屋外側に一体的に連結された面格子２０とからなるものであって、室外側から見た時に、手摺り２と遮蔽体３とが同じ面格子１２，２０同士しで統一されるようになるため、手摺りと遮蔽体３との間に違和感がなく、またアパートやマンションなどの集合住宅の場合には全体が同じ面格子により統一されるため、優れた美観を呈することができる。
【００３０】
また、この手摺り装置においては、遮蔽体３の本体枠１７の上横枠１８とハンガーレール５との間に、遮蔽体３を移動させる際に遮蔽体３の面格子２０の各縦格子材１９が手摺り２の面格子１２の各縦格子材１９と同一直線上に合致した位置で遮蔽体３を停止させるストッパー機構２７を介装しているため、遮蔽体３を移動させて任意の位置で停止させても、手摺り２側の面格子１２の各縦格子材１１と遮蔽体３側の面格子２０の各縦格子材１９とが直線状に合致するため、一層優れた外観上の美観を呈することができる。
【００３１】
そして、このストッパー機構２７は、ハンガーレール５にガイドレール２４を付設し、ガイドレール２４の所定箇所に嵌合凹部２４ｏを設け、本体枠１７には上面側に設けた台枠２８に揺動レバー２９の中間部を枢着し、揺動レバー２９の一端部には、ガイドレール２４に沿って案内され、嵌合凹部２４ｏに嵌合するガイドローラー３０と、ガイドレール２４には案内されないが、ガイドローラー３０と共に嵌合凹部２４ｏに嵌合することにより遮蔽体３の面格子２０の各縦格子材１９が手摺り２の面格子１２の各縦格子材１１と同一直線上に合致した位置で遮蔽体３の移動を停止させるストッパー部片３１とを並設し、揺動レバー２９の他端部と本体枠１７上面との間にはガイドローラー３０を常時ガイドレール２４に弾接させるように付勢するバネ３２を介装すると共に、揺動レバー２９の他端部に引張操作ワイヤー３３を連結し、このワイヤー３３を引張操作することにより、嵌合凹部２４ｏに嵌合したガイドローラー３０とストッパー部片３１をその嵌合位置に保持して遮蔽体３を停止位置に固定するようにしたもので、部品点数が少なく、構造が比較的簡単でありながら、移動させた遮蔽体３を、手摺り２側の面格子１２の各縦格子材１１と遮蔽体３側の面格子２０の各縦格子材１９とが直線状に合致した任意の位置で確実に停止させることができ、またその停止位置で遮蔽体３を固定させることができる。
【００３２】
以上説明した実施形態の手摺り装置では、手摺り２を、手摺り本体９とこれの屋外側に連結される面格子１２とから構成し、また遮蔽体３を本体枠１７とこれの屋外側に連結される面格子２０とから構成しているが、手摺り２は在来のコンクリート型手摺り又は及び金属柵型手摺りでよい。遮蔽体３は、ルーバーが固定式の固定ルーバー面格子やルーバーが開閉式の可動ルーバー面格子としてもよい。またこの場合、遮蔽体３は、本体枠とこれの屋外側に連結されるルーバー面格子とで構成する必要はなく、ルーバー面格子単体でもよい。また遮蔽体３は、面格子に限るものではなく、金属製、プラスチック製などのパネル状のもの、あるいは網状のものでもよい。
【００３３】
また上述の実施形態の手摺り装置では、遮蔽体３は、手摺り２と天井部１ａとの間の開口部４を部分的に遮蔽するものとしているが、夫々単体の遮蔽体を例えば３枚用意し、これら３枚の遮蔽体を引き違い式に構成し、ベランダ天井部１ｂのハンガーレール５には、２つのガイドレールを並設し、これら２つのガイドレールに３つの遮蔽体を引き違い可能に夫々吊り車を介して吊持することによって、開口部４が全面的に遮蔽可能となる。
【符号の説明】
【００３４】
１            ベランダ
２            手摺り
３            遮蔽体
４            開口部
５            ハンガーレール
６            吊り車
７            支柱
８            手摺り笠木
９            手摺り本体
１０          手摺り本体の上下横桟
１１          手摺り本体の左右縦格子材
１２          手摺り側の面格子
１４          本体枠の左右縦枠
１５，１６    本体枠の上下横枠
１７          遮蔽体の本体枠
１８          面格子の上下横枠
１９          面格子の左右縦格子材
２０          遮蔽体の面格子
２７          ストッパー機構
【図１】
2010242457.tif 000003
【図２】
2010242457.tif 000004
【図３】
2010242457.tif 000005
【図４】
2010242457.tif 000006
【図５】
2010242457.tif 000007
【図６】
2010242457.tif 000008
【図７】
2010242457.tif 000009
【図８】
2010242457.tif 000010
【図９】
2010242457.tif 000011